(57)【特許請求の範囲】
【請求項１】
陰極線管をキャビネットにねじ止めするための第１のねじ穴が形成された固定用金具を有する陰極線管に消磁コイルを保持させるための消磁コイル保持具において、
第２のねじ穴を有し、前記固定用金具によって前記陰極線管を前記キャビネットにねじ止めするためのねじによって前記固定用金具に固定されるねじ止め部と、
前記ねじ止め部に連結し、前記固定用金具の近傍に配置された消磁コイルを押さえる押さえ部とよりなり、
前記ねじ止め部と前記押さえ部とは金属製の一体構造であり、
前記ねじ止め部は、前記ねじによって前記ねじ止め部を前記固定用金具に固定する以前において前記固定用金具に嵌合して前記消磁コイル保持具を前記固定用金具に仮固定させる仮固定手段を備え、
前記ねじ止め部と前記押さえ部とは、前記消磁コイルを押さえる前の初期状態において略Ｌ字状とされており、
前記消磁コイルを押さえるに際して前記押さえ部が前記ねじ止め部方向に折り曲げられて前記消磁コイルを押さえるよう構成したことを特徴とする消磁コイル保持具。
【請求項２】
前記仮固定手段は、前記固定用金具を挟持する挟持手段であることを特徴とする請求項１記載の消磁コイル保持具。
【請求項３】
前記押さえ部に、前記消磁コイルが傷付くことを防止する被覆を設けたことを特徴とする請求項１または２に記載の消磁コイル保持具。
【発明の詳細な説明】
【０００１】
【発明の属する技術分野】
本発明は、陰極線管（ＣＲＴ）に消磁コイルを保持させる消磁コイル保持具に関する。
【０００２】
【従来の技術】
ＣＲＴを用いた映像表示装置においては、地磁気等の外部磁界によってＣＲＴのシャドウマスクが帯磁することを防ぐため、ＣＲＴに消磁コイルを取り付け、この消磁コイルに電流を流してシャドウマスクを消磁するようにしている。
【０００３】
図６は従来の消磁コイル保持構造を示す図、図７は従来の消磁コイル保持構造で用いていた消磁コイル保持具を示す斜視図である。図６において、ＣＲＴ１の４つの角部には、ＣＲＴ１をキャビネット（図示せず）に固定するための固定用金具２が一体に設けられている。固定用金具２には、ねじ穴２ａが形成されており、ねじ３をねじ穴２ａに通し、ねじ３をキャビネットにねじ止めすることにより、ＣＲＴ１を固定する。なお、ＣＲＴ１は、後述する消磁コイル４をＣＲＴ１に装着した後に、キャビネットに固定する。
【０００４】
ＣＲＴ１の周囲部には、消磁コイル４が配置されている。固定用金具２には、例えば、ねじ穴２ａを挟むように一対の小穴２ｂが形成されている。一方の小穴２ｂに消磁コイル保持具５を通すと共に、その消磁コイル保持具５を消磁コイル４に巻き付けてねじることにより、消磁コイル４をＣＲＴ１に保持させる。消磁コイル保持具５は、図７に示すように、針金５ａをビニルカバー５ｂで覆ったものであり、例えば３ｍｍ程度の幅を有する。
【０００５】
【発明が解決しようとする課題】
以上説明した従来の消磁コイル保持構造においては、ＣＲＴ１をねじ３によってキャビネットにねじ止めする際、ねじ３に装着したワッシャ３ａが消磁コイル４の被覆を傷付けやすいという問題点があった。消磁コイル４の内部は１次側回路で、固定用金具２は２次側回路のアースであるため、消磁コイル４が固定用金具２に接触すると、絶縁耐圧不良となってしまう。
【０００６】
そこで、消磁コイル保持具５を予め緩めておき、消磁コイル４がワッシャ３ａに接触しないよう手で消磁コイル４をワッシャ３ａより離した状態でねじ３を締め付け、その後、消磁コイル保持具５をねじり直して消磁コイル４を固定するという煩雑な作業が必要であった。このように、従来の消磁コイル保持具は、消磁コイル４をＣＲＴ１に取り付ける際の作業性が悪いという問題点があった。
【０００７】
他の従来例として、特開平９−９１７７号公報に記載のものもあるが、この公報に記載のものは、構造が複雑でコストアップとなり、作業性もよくないという問題点があった。そこで、消磁コイル４をＣＲＴ１に取り付ける際の作業性がよく、しかも、低コストで実現できる消磁コイル保持具が望まれていた。
【０００８】
本発明はこのような問題点に鑑みなされたものであり、消磁コイルを陰極線管に取り付ける際の作業性がよく、しかも、低コストで実現できる消磁コイル保持具を提供することを目的とする。
【０００９】
【課題を解決するための手段】
本発明は、上述した従来の技術の課題を解決するため、陰極線管（１）をキャビネットにねじ止めするための第１のねじ穴（２ａ）が形成された固定用金具（２）を有する陰極線管に消磁コイル（４）を保持させるための消磁コイル保持具（５２）において、第２のねじ穴（５２a1）を有し、前記固定用金具によって前記陰極線管を前記キャビネットにねじ止めするためのねじ（３）によって前記固定用金具に固定されるねじ止め部（５２ａ）と、前記ねじ止め部に連結し、前記固定用金具の近傍に配置された消磁コイルを押さえる押さえ部（５２ｂ）とよりなり、前記ねじ止め部と前記押さえ部とは金属製の一体構造であり、前記ねじ止め部は、前記ねじによって前記ねじ止め部を前記固定用金具に固定する以前において前記固定用金具に嵌合して前記消磁コイル保持具を前記固定用金具に仮固定させる仮固定手段（５２a2）を備え、前記ねじ止め部と前記押さえ部とは、前記消磁コイルを押さえる前の初期状態において略Ｌ字状とされており、前記消磁コイルを押さえるに際して前記押さえ部が前記ねじ止め部方向に折り曲げられて前記消磁コイルを押さえるよう構成したことを特徴とする消磁コイル保持具を提供するものである。
【００１０】
【発明の実施の形態】
以下、本発明の消磁コイル保持具について、添付図面を参照して説明する。図１は本発明の消磁コイル保持具の一実施例を示す斜視図、図２は本発明の消磁コイル保持具を陰極線管に仮固定した状態を示す斜視図、図３は本発明の消磁コイル保持具をねじにて陰極線管に固定する場合の動作を説明するための図、図４は本発明の消磁コイル保持具に関連した消磁コイル保持具を示す斜視図、図５は図４に示す消磁コイル保持具を用いて消磁コイルを保持させる場合の動作を説明するための斜視図である。なお、図１〜図５において、図６と同一部分には同一符号が付してある。
【００１１】
まず、本発明の消磁コイル保持具を説明する前に、図４，図５を用いて、本発明の消磁コイル保持具に関連した消磁コイル保持具について説明する。図４に示す消磁コイル保持具５０は、本出願人が特願２０００−０５６９１２にて提案したものである。図４に示すように、消磁コイル保持具５０は、初期状態において、略Ｌ字状の金属板よりなる。消磁コイル保持具５０は、ねじ穴５０ａ１を有するねじ止め部５０ａと、後述する消磁コイル４を押さえる押さえ部５０ｂとよりなる。ねじ止め部５０ａと押さえ部５０ｂとは一体である。
【００１２】
この押さえ部５０ｂには、消磁コイル４が傷付くことを防止するため、傷防止用熱収縮チューブ（被覆）５０ｂ１が被せてある。この例では、ねじ穴５０ａ１の内径は４．７５ｍｍ、消磁コイル保持具５０（ねじ止め部５０ａ）の板厚は０．５ｍｍである。これらの寸法は、ねじ穴５０ａ１に通すねじ３の寸法によって決定されるものである。
【００１３】
この消磁コイル保持具５０を用いて消磁コイル４を保持するには、次のようにする。キャビネット（図示せず）を伏せておき、そのキャビネットに、上方よりＣＲＴ１を配置しておく。図５に示すように、消磁コイル保持具５０のねじ穴５０ａ１にねじ３を通し、磁化されたエアドライバのビット６の先端にねじ３及び消磁コイル保持具５０を保持させる。そして、消磁コイル保持具５０と共にねじ３を、ＣＲＴ１に設けた固定用金具２のねじ穴２ａまで移送する。
【００１４】
次に、ねじ３を締め付け、ＣＲＴ１をキャビネットにねじ止めすることにより、ＣＲＴ１を固定する。なお、図５においては、ワッシャ３ａを省略している。ＣＲＴ１のねじ３によるキャビネットへのねじ止めは、従来と同様、ＣＲＴ１の４つの角部でそれぞれ行う。４つの固定用金具２の全てに消磁コイル保持具５０と共にねじ３がねじ止めされたら、ＣＲＴ１の周囲部に消磁コイル４を配置し、消磁コイル保持具５０の押さえ部５０ｂを折り曲げ、消磁コイル４を押さえ付けて固定する。消磁コイル４は、消磁効果が最も効果的な固定用金具２の近傍で固定されている。
【００１５】
この消磁コイル保持具５０によれば、ＣＲＴ１をねじ３によってキャビネットにねじ止めする際には、消磁コイル４をＣＲＴ１に装着していないので、ねじ３に装着したワッシャ３ａが消磁コイル４の被覆を傷付けることはない。しかも、押さえ部５０ｂを折り曲げるだけで消磁コイル４を固定することができるので、消磁コイル４をＣＲＴ１に取り付ける際の作業性が極めてよい。押さえ部５０ｂは所定の長さを有し、そのいずれの部分でも折り曲げることができるから、消磁コイル４の位置が多少変わっても、消磁コイル４を固定することができる。従って、消磁コイル保持具５０は、種々のサイズのＣＲＴ１や消磁コイル４の大きさ・形状等に対して、汎用性に富む。また、消磁コイル保持具５０は、金属板によって容易に形成できるので、極めて低コストで実現できる。
【００１６】
ところで、以上説明した消磁コイル保持具５０は、図５に示すように、消磁コイル保持具５０をＣＲＴ１の固定用金具２に取り付けるには、消磁コイル保持具５０の回転防止のため、消磁コイル保持具５０の押さえ部５０ｂを手で押さえておく必要がある。
【００１７】
そこで、上記の消磁コイル保持具５０の特長を維持しつつ、ＣＲＴ１の固定用金具２に取り付ける際の作業性を向上させたものが図１〜図３にて説明する本発明の消磁コイル保持具である。図１は、消磁コイル保持具をＣＲＴ１の固定用金具２に装着する際に、消磁コイル保持具を固定用金具２に仮固定することができ、よって、消磁コイル保持具が回転したり、位置がずれることなく、消磁コイル保持具を手で押さえておく必要がない本発明の消磁コイル保持具を示している。本発明の消磁コイル保持具を消磁コイル保持具５２と称することとする。
【００１８】
図１において、本発明の消磁コイル保持具５２は、初期状態において、略Ｌ字状の金属板よりなる。消磁コイル保持具５２は、ねじ穴５２ａ１を有するねじ止め部５２ａと、消磁コイル４を押さえる押さえ部５２ｂとよりなる。この押さえ部５２ｂには、消磁コイル４が傷付くことを防止するため、傷防止用熱収縮チューブ（被覆）５２ｂ１が被せてある。傷防止用熱収縮チューブの代わりにビニルチューブでもよく、被覆はこれらに限定されるものではない。
【００１９】
消磁コイル保持具５２が消磁コイル保持具５０と異なるところは、ねじ止め部５２ａである。消磁コイル保持具５２のねじ止め部５２ａの幅は、消磁コイル保持具５０のねじ止め部５０ａの幅よりも広くなっている。消磁コイル保持具５２のねじ止め部５２ａの幅は、固定用金具２の幅と略同一となっており、ねじ止め部５２ａの幅方向両端部には、消磁コイル保持具５２を固定用金具２に仮固定するための一対の爪５２ａ２が形成されている。一対の爪５２ａ２は、消磁コイル保持具５２を固定用金具２に仮固定するための仮固定手段である。
【００２０】
爪５２ａ２はねじ止め部５２ａと一体となっている。爪５２ａ２は、ねじ止め部５２ａの幅方向両端部より突出した長方形状の舌片を押さえ部５２ｂとは反対方向に折り曲げ、さらに、その折り曲げた中間部をく字状に内側に折り曲げることによって形成されている。く字状の折り曲げ部５２ａ３の間隔は、固定用金具２の幅よりも狭くなっている。これにより、後述するように、ねじ止め部５２ａを一対の爪５２ａ２によって固定用金具２に嵌合させることができ、消磁コイル保持具５２を固定用金具２に仮固定することができる。
【００２１】
キャビネット（図示せず）を伏せておき、そのキャビネットに、上方よりＣＲＴ１を配置しておく。消磁コイル保持具５２のねじ止め部５２ａを固定用金具２上方より固定用金具２に押し込むと、一対の爪５２ａ２は可撓性を有するため、固定用金具２の幅方向の端部が折り曲げ部５２ａ３に当接し、一対の爪５２ａ２が外側に広がる。そして、折り曲げ部５２ａ３が固定用金具２の裏面側（ＣＲＴ１の画面側）に達すると、折り曲げ部５２ａ３が内側へと戻り、固定用金具２の裏面側を押圧する。これにより、図２に示すように、一対の爪５２ａ２は、固定用金具２の表面側に当接するねじ止め部５２ａと協働して固定用金具２を挟持する。このようにして、消磁コイル保持具５２は、固定用金具２に対して仮固定される。一対の爪５２ａ２は固定用金具２を挟持する挟持手段である。なお、挟持手段は仮固定手段の好適な一例であるが、仮固定手段は挟持手段のみに限定されるものではない。
【００２２】
そして、図３に示すように、ねじ止め部５２ａのねじ穴５２ａ１及び固定用金具２のねじ穴２ａにワッシャ３ａを介してねじ３を通し、エアドライバのビット６によってねじ３を締め付け、ＣＲＴ１をキャビネットにねじ止めすることにより、ＣＲＴ１を固定する。この状態で、消磁コイル保持具５２は固定用金具２に完全に固定される。次に、ＣＲＴ１の周囲部に消磁コイル４（ここでは図示せず）を配置し、消磁コイル保持具５２の押さえ部５２ｂを折り曲げ、消磁コイル４を押さえ付けて固定する。
【００２３】
【発明の効果】
以上詳細に説明したように、本発明の消磁コイル保持具は、ねじ穴を有し、固定用金具によって陰極線管をキャビネットにねじ止めするためのねじによって固定用金具に固定されるねじ止め部と、ねじ止め部に連結し、固定用金具の近傍に配置された消磁コイルを押さえる押さえ部とよりなり、ねじ止め部は、ねじによってねじ止め部を固定用金具に固定する以前において消磁コイル保持具を固定用金具に仮固定する仮固定手段を備え、ねじ止め部と押さえ部とは、消磁コイルを押さえる前の初期状態において略Ｌ字状とされており、消磁コイルを押さえるに際して押さえ部がねじ止め部方向に折り曲げられて消磁コイルを押さえるよう構成したので、消磁コイル保持具を固定用金具にねじにて固定する際に手で押さえておく必要がないことから、消磁コイルを陰極線管に取り付ける際の作業性がよく、しかも、低コストで実現できる。
【図面の簡単な説明】
【図１】本発明の消磁コイル保持具の一実施例を示す斜視図である。
【図２】本発明の消磁コイル保持具を陰極線管に仮固定した状態を示す斜視図である。
【図３】本発明の消磁コイル保持具をねじにて陰極線管に固定する場合の動作を説明するための図である。
【図４】本発明の消磁コイル保持具に関連した消磁コイル保持具を示す斜視図である。
【図５】図４に示す消磁コイル保持具を用いて消磁コイルを保持させる場合の動作を説明するための斜視図である。
【図６】従来の消磁コイル保持構造を示す図である。
【図７】従来の消磁コイル保持具を示す斜視図である。
【符号の説明】
１  陰極線管（ＣＲＴ）
２  固定用金具
２ａ  ねじ穴
３  ねじ
３ａ  ワッシャ
４  消磁コイル
６  ビット
５０，５２  消磁コイル保持具
５０ａ，５２ａ  ねじ止め部
５０ａ１，５２ａ１  ねじ穴
５２ａ２  爪（挟持手段，仮固定手段）
５２ａ３  折り曲げ部
５０ｂ，５２ｂ  押さえ部
５０ｂ１，５２ｂ１  熱収縮チューブ（被覆）
【図１】
0003573336.tif 000002
【図２】
0003573336.tif 000003
【図３】
0003573336.tif 000004
【図４】
0003573336.tif 000005
【図５】
0003573336.tif 000006
【図６】
0003573336.tif 000007
【図７】
0003573336.tif 000008